(57)【特許請求の範囲】
【請求項１】
底面に吸込開口を有する吸込口体と、
集塵室と電動送風機とを有するとともに前記吸込口体の上に設けられた掃除機本体と、
把手部を有する操作パイプと、
一端が前記操作パイプの把手部側に接続され、他端が前記掃除機本体に接続されるとともに、前記操作パイプと前記集塵室とを連通する集塵ホースと、
前記操作パイプの他端部を内部に伸縮自在に収納し、かつ前記掃除機本体に着脱可能に装着される第２パイプと、
前記第２パイプに設けられ、前記操作パイプと前記第２パイプとを摺動連結させる摺動連結体と、
前記摺動連結体に設けた伸縮動作ボタンと、を備え、
前記第２パイプが前記掃除機本体に装着された状態において、前記摺動連結体および前記伸縮動作ボタンは、前記掃除機本体の外部に露出させたことを特徴とする電気掃除機。
【請求項２】
摺動連結体に設けられた伸縮動作ボタンは掃除機本体の裏面側に露出させたことを特徴とする請求項１に記載の電気掃除機。
【発明の詳細な説明】
【技術分野】
【０００１】
本発明は、掃除機本体に伸縮自在のパイプ手段を有する電気掃除機に関するものである。
【背景技術】
【０００２】
従来、この種の電気掃除機は、図６、図７に示すように、第２管部（伸縮管５２）を伸縮させる為の伸縮用ボタン５５が操作パイプ（収容部５３）側に設けられていた（例えば、特許文献１参照）。
【０００３】
また、この種の電気掃除機は、図６に示すように、掃除機本体５０に接続された吸入管５１と、吸入管５１に接続可能とされ、塵埃吸込口５６が端部に形成された伸縮管５２と、伸縮管５２を伸縮可能とする伸縮用ボタン５５が操作パイプ（収容部５３）に設けられ、掃除機本体５０に接続された吸込口体５７から構成されている。
【先行技術文献】
【特許文献】
【０００４】
【特許文献１】特開２００８−７３３０３号公報
【発明の概要】
【発明が解決しようとする課題】
【０００５】
しかしながら、前記従来の構成では、第２管部（伸縮管５２）を伸縮させる為の伸縮用ボタン５５が操作パイプ（収容部５３）側に設けられている為、操作パイプの把手部（把持部５４）を片方の手で握りもう片方の手で伸縮用ボタン５５を操作する為、両方の手が操作パイプ（収容部５３）側を持っており第２管部（伸縮管５２）側を保持できず伸縮出来なかった。第２管部（伸縮管５２）側を伸縮させる為には、片方の手で第２管部（伸縮管５２）側を保持し、もう片方の手で操作パイプ（収容部５３）を握りながら伸縮用ボタン５５を操作して一旦第２管部（伸縮管５２）を伸縮させた後、操作パイプの把手部（把持部５４）を片方の手で握り直す必要があり２段動作となるという課題を有していた。
【０００６】
また、伸縮操作機構５８に示されるように伸縮用ボタン５５の動作を係合部材５９迄連動するために非常に多くの部品を必要としており非常に高コストになるという課題があった。低コストに抑えようとすると伸縮操作機構５８の連動部品を廃止して伸縮用ボタン５５を係合部材５９の位置に構成することになるが、また実際にそのような構成とした他の従来例もあるが、その場合は上記した２段動作の範囲が拡大することになり更に第２管部（伸縮管５２）の伸縮操作が困難なものとなる。
【０００７】
本発明は、前記従来の課題を解決するもので、第２管部（第２パイプ）に伸縮動作ボタンを設けることにより、操作パイプ一端部の把手部を片方の手で握りもう片方の手で伸縮させる第２パイプを保持しながら伸縮動作ボタンを操作することが出来、ワンタッチ（１回の動作）で伸縮操作が出来る軽労働の使い勝手のよい電気掃除機を提供することを目的とする。
【課題を解決するための手段】
【０００８】
前記従来の課題を解決するために、本発明の電気掃除機は、
底面に吸込開口を有する吸込口体と、
集塵室と電動送風機とを有するとともに前記吸込口体の上に設けられた掃除機本体と、
把手部を有する操作パイプと、
一端が前記操作パイプの把手部側に接続され、他端が前記掃除機本体に接続されるとともに、前記操作パイプと前記集塵室とを連通する集塵ホースと、
前記操作パイプの他端部を内部に伸縮自在に収納し、かつ前記掃除機本体に着脱可能に装着される第２パイプと、
前記第２パイプに設けられ、前記操作パイプと前記第２パイプとを摺動連結させる摺動連結体と、
前記摺動連結体に設けた伸縮動作ボタンと、を備え、
前記第２パイプが前記掃除機本体に装着された状態において、前記摺動連結体および前記伸縮動作ボタンは、前記掃除機本体の外部に露出させたものである。
【０００９】
これによって、操作パイプの他端部から伸縮自在に伸びる第２パイプを有し、上記第２パイプの摺動連結体に伸縮動作ボタンを設け、第２パイプが本体に収納された状態でも第２パイプに設けた伸縮動作ボタンが本体外郭に露出していることにより、操作パイプ一端部の把手部を片方の手で握りもう片方の手で伸縮させる第２パイプを保持しながら伸縮動作ボタンを操作することが出来るのでワンタッチ（１回の動作）で伸縮操作を行うことが出来るものである。
【発明の効果】
【００１２】
本発明の電気掃除機は、操作パイプ一端部の把手部を片方の手で握りもう片方の手で伸縮させる第２パイプを保持しながら伸縮動作ボタンを操作することが出来るのでワンタッチ（１回の動作）で伸縮操作を行うことが出来る使い勝手のよい電気掃除機を提供できる。
【図面の簡単な説明】
【００１３】
【図１】本発明の実施の形態１における掃除機本体から操作パイプを取り外した状態を示す外観斜視図
【図２】本発明の実施の形態１における吸込口体により床面の掃除を行う状態を示す外観斜視図
【図３】（Ａ）本発明の実施の形態１における操作パイプ部の断面図（Ｂ）同バネを示す摺動連結体部分の詳細断面図
【図４】本発明の実施の形態１における掃除機本体を示す外観斜視図
【図５】本発明の実施の形態２における掃除機本体を示す外観斜視図
【図６】従来の電気掃除機の断面図
【図７】従来の電気掃除機の伸縮操作機構部分を示した展開図
【発明を実施するための形態】
【００１４】
第１の発明は、底面に吸込開口を有する吸込口体と、
集塵室と電動送風機とを有するとともに前記吸込口体の上に設けられた掃除機本体と、
把手部を有する操作パイプと、
一端が前記操作パイプの把手部側に接続され、他端が前記掃除機本体に接続されるとともに、前記操作パイプと前記集塵室とを連通する集塵ホースと、
前記操作パイプの他端部を内部に伸縮自在に収納し、かつ前記掃除機本体に着脱可能に装着される第２パイプと、
前記第２パイプに設けられ、前記操作パイプと前記第２パイプとを摺動連結させる摺動連結体と、
前記摺動連結体に設けた伸縮動作ボタンと、を備え、
前記第２パイプが前記掃除機本体に装着された状態において、前記摺動連結体および前記伸縮動作ボタンは、前記掃除機本体の外部に露出させたものである。
【００１５】
これによって、操作パイプの他端部から伸縮自在に伸びる第２パイプを有し、上記第２パイプの摺動連結体に伸縮動作ボタンを設け、第２パイプが本体に収納された状態でも第２パイプに設けた伸縮動作ボタンが本体外郭に露出していることにより、操作パイプ一端部の把手部を片方の手で握りもう片方の手で伸縮させる第２パイプを保持しながら伸縮動作ボタンを操作することが出来るのでワンタッチ（１回の動作）で伸縮操作を行うことが出来るものである。
【００１６】
第２の発明は、特に、第１の発明の摺動連結体に設けられた伸縮動作ボタンは掃除機本体の裏面側に露出させたものである。
【００１７】
これによって、本体前面の外観に露出させることなく商品性、デザイン性を向上させることが出来るものである。
【００２０】
以下、本発明の実施の形態について、図面を参照しながら説明する。なお、この実施の形態によって本発明が限定されるものではない。
【００２１】
（実施の形態１）
本発明の第１の実施の形態について、図１から図４を用いて説明する。
【００２２】
図１から図４に示す電気掃除機は、底面に図示しない吸込開口を有する吸込室（図示せず）を形成した吸込口体１と、掃除機本体２と、この掃除機本体２に着脱可能に装着された伸縮可能な操作パイプ３とを備えている。吸込口体１の後部には前後方向に回動可能な回転管４が設けられており、この回転管４は吸込口体１の吸込室に連通されている。また、回転管４の上部は後述する掃除機本体２の下部の接続部５に固定されている。掃除機本体２は、内部に形成された集塵室６と、この集塵室６を負圧にする電動送風機７と、集塵室６に着脱自在に装着された集塵フィルタ（紙パック）Ｆ等とを備えている。
【００２３】
また、掃除機本体２の上部には取手８が一体的に設けられており、その後部側には集塵ホース９の一端が接続され、その集塵ホース９の他端が操作パイプ３の後端部に接続されている。そして、集塵ホース９は掃除機本体２の集塵室６に連通している。操作パイプ３は、後部に設けた把手部１０と、第２パイプ１１に設けた取付凹部１２とを有している。そして、第２パイプ１１の取付凹部１２を掃除機本体２の接続開口１３に差し込み係合突出部１４に係合させると、図示しないロック機構により係合突出部１４が上記取付凹部１２にロックされて、操作パイプ３が掃除機本体２に装着される。この操作パイプ３の先端部を掃除機本体２の接続開口１３に差し込むと、操作パイプ３の先端部は奥で密閉されるようになっている。係合突出部１４のロックの解除は掃除機本体２の取手８の上面に設けた解除レバー１５を引くことにより行われるようになっている。
【００２４】
そして、吸込口体１は、回転管４、接続部５を介して集塵室６に連通しているが、掃除機本体２を立てた状態では連通が遮断される構造としている。また上記したように掃除機本体２に装着された操作パイプ３の先端部は奥で密閉されるようになっている。したがっ
て操作パイプ３の先端部からの吸込みは、掃除機本体２を立てた状態で操作パイプ３を掃除機本体２から取外すことで使用することが出来るようになっている。
【００２５】
また、操作パイプ３は、第２パイプ１１と、この第２パイプ１１内に挿入された小径パイプ１６とを有し、第２パイプ１１内部で小径パイプ１６と操作パイプ３は連通している。この第２パイプ１１内に操作パイプ３が摺動移動することにより第２パイプ１１が伸縮するものであり、そして、第２パイプ１１の摺動連結体１７に弾性体であるバネ２２によって支持されて設けられた伸縮動作ボタン１８を押すと、第２パイプ１１の摺動移動が可能となり、その伸縮動作ボタン１８の押圧を解除すると第２パイプ１１はその位置でロックされるようになっている。
【００２６】
また第２パイプ１１の摺動連結体１７部分は、操作パイプ３が掃除機本体２に装着された状態では掃除機本体２の接続開口１３から外部に露出した状態となる。したがって摺動連結体１７に設けられた伸縮動作ボタン１８は掃除機本体２の外郭の一部として本体の前面側に露出した構成となる。
【００２７】
更には、前記小径パイプ１６が第２パイプ１１内を摺動移動することにより更に伸縮するものである。そして、摺動連結部１９に設けたボタン２０を押すと、小径パイプ１６の摺動移動が可能となり、そのボタン２０の押圧を解除すると小径パイプ１６はその位置でロックされるようになっている。
【００２８】
掃除機本体２の上部には電動送風機７の電源スイッチ（操作スイッチ）２１が設けられている。
【００２９】
以上のように構成された電気掃除機について、以下その動作、作用を説明する。
【００３０】
先ず、図２に示すように伸縮動作ボタン１８を押して操作パイプ３を伸長させる。そして、電源スイッチ２１をオンにすると、電動送風機７が駆動されて集塵室６の空気が電動送風機７により吸引されていく。この吸引により集塵室６が負圧となり、この負圧が回転管４および吸込口体１の吸込室に作用し、吸込室の吸込開口から空気とともに塵埃が吸引されていく。吸込室に吸引された空気および塵埃は回転管４を介して掃除機本体２の集塵室６へ吸引されていき、塵埃が集塵フィルタＦに集塵されていく。なお、集塵方式は集塵フィルタＦのないサイクロン方式であってもよい。
【００３１】
ここで、第２パイプ１１の摺動連結体１７部分は、操作パイプ３が掃除機本体２に装着された状態では掃除機本体２の接続開口１３から外部に露出した状態（伸縮動作ボタン１８が本体側に設けられた状態）となり、伸縮動作ボタン１８を本体外郭に露出させて掃除機本体２に収納したことにより、第２パイプ１１が掃除機本体２に収納された状態でも第２パイプ１１に設けた伸縮動作ボタン１８が本体外郭に露出している為、操作パイプ３の把手部１０を片方の手で握りもう片方の手で掃除機本体２側を保持しながら同時に伸縮動作ボタン８を操作することが出来るのでワンタッチ（１回の動作）で操作パイプ３を掃除機本体２から伸縮出来るものである。
【００３２】
吸込口体１による床面の掃除を行う場合には、図２に示すように操作パイプ３の把手部１０を持って掃除機本体２を前後に移動させれば床面などの掃除が行える。（この時掃除機本体２に装着された操作パイプ３の先端部は密閉されている。）
また、図１に示すように操作パイプ３を掃除機本体２から取り外して掃除を行う場合、掃除機本体２を立てた状態で（掃除機本体２を立てた状態では集塵室６への連通が遮断される）掃除機本体２の上部に設けた解除レバー１５を引くことにより係合突出部１４のロックの解除を行い、操作パイプ３を掃除機本体２から取外すことで操作パイプ３の先端部
から吸引された空気および塵埃は操作パイプ３および集塵ホース９を介して掃除機本体２の集塵室６へ吸引されていく。
【００３３】
ここで、前記操作パイプ３の他端部から伸縮自在に伸びる第２パイプ１１を有し、上記第２パイプ１１に伸縮動作ボタン１８を設けたことにより、操作パイプ３の把手部１０を片方の手で握りもう片方の手で伸縮させる第２パイプ１１を保持しながら同時に伸縮動作ボタン１８を操作することが出来るのでワンタッチ（１回の動作）で伸縮操作を行うことが出来るものである。
【００３４】
また、図２に示すように吸込口体１による床面の掃除を行う場合や図１に示すように操作パイプ３を掃除機本体２から取り外して掃除を行う両方の場合において、上記伸縮動作ボタン１８を弾性体であるバネ２２によって支持された押しボタン構成としている為、伸縮動作ボタンがスライド操作式ボタン等であった場合には、掃除機本体２を握って保持する或いは第２パイプ１１を握って保持する操作と同時に伸縮動作ボタンをスライドさせる操作を行うことは出来ないが、伸縮動作ボタン１８をバネ２２による押しボタン構成としたことにより、掃除機本体２を握って保持する或いは第２パイプ１１を握って保持する操作、つまり握るという１回の動作で同時に伸縮動作ボタン１８の操作を行うことが出来、非常に容易に伸縮動作を行うことが出来るものである。
【００３５】
電動送風機７により吸引された空気は電動送風機７のモータ内を通ってこのモータを冷却していく。モータを冷却した空気は電動室（図示せず）を介して掃除機本体２に設けた図示しない排気孔から外へ排気されていく。
【００３６】
（実施の形態２）
本発明の第２の実施の形態について、図５を用いて説明する。なお、実施の形態１と同一部分については同一符号を付してその説明を省略する。
【００３７】
図５において１８は、掃除機本体２の裏面側の外郭に露出させて設けた伸縮動作ボタンである。第２パイプ１１の摺動連結体１７部分は、操作パイプ３が掃除機本体２に装着された状態では掃除機本体２の接続開口１３から外部に露出した状態となる。したがって摺動連結体１７に設けられた伸縮動作ボタン１８は掃除機本体２の外郭の一部として本体の裏面側に露出した構成となる。
【００３８】
これによって、本体前面の外観に露出させることなく商品性、デザイン性を向上させることが出来るものである。
【産業上の利用可能性】
【００３９】
以上のように、本発明にかかる電気掃除機は、操作パイプ一端部の把手部を片方の手で握りもう片方の手で伸縮させる第２パイプを保持しながら伸縮動作ボタンを操作することが出来るのでワンタッチ（１回の動作）で伸縮操作を行うことが出来るため家庭、業務用等の電気掃除機に幅広く応用できる。
【符号の説明】
【００４０】
２  掃除機本体
３  操作パイプ
１０  把手部
１１  第２パイプ
１７  摺動連結体
１８  伸縮動作ボタン
２２  バネ（弾性体）
【図３】
0005381419.tif 000002
【図６】
0005381419.tif 000003
【図７】
0005381419.tif 000004
【図１】
0005381419.tif 000005
【図２】
0005381419.tif 000006
【図４】
0005381419.tif 000007
【図５】
0005381419.tif 000008